(57)【特許請求の範囲】
【請求項１】
２台のプレーヤ（１３、１４）と、
楽曲データが記録された記録媒体と背景映像データが記録された記録媒体を収納可能なディスクストッカ（１２）と、
前記ディスクストッカに収納された前記記録媒体を前記プレーヤ（１３、１４）にセットするための搬送部（１１）と、
前記楽曲データと前記背景映像データの再生を可能とする再生手段（８）と、
前記楽曲データを一時記憶するための一時記憶手段（３）と、
制御手段（４、１０）と、を備え、
前記制御手段（４、１０）は、  前記プレーヤ（１３、１４）の動作状態を検出し、
前記２台のプレーヤの何れもが動作可能であるとき、
前記楽曲データが記録された記録媒体を一方のプレーヤにセットさせる第１処理（ａ２１）と、
前記セットされた記録媒体の楽曲データを前記一方のプレーヤにより読み出させ、読み出された楽曲データを前記一時記憶手段（３）に記憶させる第２処理（ａ２３）と、
前記記憶された楽曲データに対応する背景映像データが記録された記録媒体を他方のプレーヤにセットさせる第３処理（ａ２５）と、
前記一時記憶手段（３）に記憶された前記楽曲データを読み出すと共に、前記セットされた記録媒体の背景映像データを前記他方のプレーヤにより読み出させ、前記再生手段（８）により再生させる第４処理（ａ１８）と、を行う両肺モードを実行し、
前記２台のプレーヤの何れかが動作不可であるとき、
前記楽曲データが記録された記録媒体を動作可能なプレーヤにセットさせる第５処理（ａ１１）と、前記セットされた記録媒体の楽曲データを前記動作可能なプレーヤにより読み出させ、読み出された楽曲データを前記一時記憶手段（３）に記憶させる第６処理（ａ１２）と、
前記記憶された楽曲データに対応する背景映像データが記録された記録媒体を、前記第５処理でセットされた記録媒体に代えて前記動作可能なプレーヤにセットさせる第７処理（ａ１３）と、
前記一時記憶手段（３）に記憶された前記楽曲データを読み出すと共に、前記セットされた記録媒体の背景映像データを前記動作可能なプレーヤにより読み出させ、前記再生手段（８）により再生させる第８処理（ａ７）と、を行う片肺モードを実行することを特徴とするカラオケ再生装置。
【請求項２】
前記楽曲データが記録された前記記録媒体は、コンパクトディスク（ＣＤ）であり、前記背景映像データが記録された前記記録媒体は、ディジタルビデオディスク（ＤＶＤ）であることを特徴とする請求項１に記載のカラオケ再生装置。
【請求項３】
前記制御手段（４、１０）は、前記プレーヤ（１３、１４）の動作中、プレーヤエラーを検出し、一定時間内に所定回数のエラーが発生したとき（ｂ６、Ｙｅｓ）、前記プレーヤ（１３、１４）が動作不可であると判断することを特徴とする請求項１または２に記載のカラオケ再生装置。
【請求項４】
前記制御手段（４、１０）は、前記プレーヤ（１３、１４）の動作時間をカウントし、当該動作時間が所定時間に達した時、前記プレーヤ（１３、１４）が動作不可であると判断することを特徴とする請求項１または２に記載のカラオケ再生装置。
【発明の詳細な説明】
【０００１】
【発明の属する技術分野】
この発明は、楽曲の再生とこの楽曲の演奏に合わせて表示される背景映像の再生とを、それぞれ別個の記録媒体から行う方式のカラオケ再生装置および再生方法に関する。
【０００２】
【発明が解決しようとする課題】
近年、歌唱者が選択した楽曲の演奏に合わせてその楽曲の背景映像をモニタに映し出すことができるカラオケ機が広く普及している。
このようなカラオケ機は、モニタに映し出される背景映像によって曲のイメージを膨らませて宴を盛り上げることができる高い娯楽性を備えているため、急速に普及してきたが、楽曲ごとに対応する背景映像を用意しておく当初の方式では、カラオケ機に用意された楽曲の曲数と同じ数だけの背景映像を記録媒体に記録しておく必要があり、楽曲の曲数の増加に伴って、カラオケ機の記録媒体における記録容量の不足が問題になってきた。
【０００３】
そこで、楽曲と楽曲の演奏に合わせて表示する背景映像とをそれぞれ別個の記録媒体に記録しておいて、歌唱者による選択によって、それぞれの記録媒体から楽曲データと背景映像データとを読み出す方式のカラオケ機が開発されている。
従来の上記のような方式で楽曲と背景映像の再生を行うカラオケ機は、図７に示されるように、それぞれの記録媒体からの再生方式の違いによって、それぞれ専用のプレーヤを備えている。
すなわち、図７において、楽曲の再生は、ＣＤ−ＲＯＭに記録されている楽曲データをチェンジャＢ’に装備されているＣＯ−ＲＯＭプレーヤＰ１によって読み取ることにより行われ、背景映像の再生は、映像用記録媒体に記録されている背景映像データを映像用プレーヤＰ２によって読み取ることにより行われる。
【０００４】
しかしながら、上記従来のカラオケ機では、ＣＯ−ＲＯＭプレーヤＰ１と映像用プレーヤＰ２の何れかが故障した場合には、楽曲の演奏に合わせて背景映像を表示してその場の雰囲気を盛り上げるといったカラオケ機の本来の機能を果たすことが出来なくなる。
特に、業務用のカラオケ機については、その故障が店の営業に多大な損害を与える虞がある。
【０００５】
この発明は、上記のような従来のカラオケ機が有している問題点を解決するためになされたものである。
すなわち、この発明は、楽曲の再生とこの楽曲の演奏に合わせて表示される背景映像の再生とをそれぞれ別個の記録媒体から行う方式のカラオケ機において、信頼性が高く、メンテナンスが容易なカラオケ再生装置を提供することを目的とする。
【０００６】
【課題を解決するための手段】
上記目的を達成するために、本発明は、２台のプレーヤ（１３、１４）と、楽曲データが記録された記録媒体と背景映像データが記録された記録媒体を収納可能なディスクストッカ（１２）と、前記ディスクストッカに収納された前記記録媒体を前記プレーヤ（１３、１４）にセットするための搬送部（１１）と、前記楽曲データと前記背景映像データの再生を可能とする再生手段（８）と、前記楽曲データを一時記憶するための一時記憶手段（３）と、制御手段（４、１０）と、を備え、前記制御手段（４、１０）は、  前記プレーヤ（１３、１４）の動作状態を検出し、前記２台のプレーヤの何れもが動作可能であるとき、前記楽曲データが記録された記録媒体を一方のプレーヤにセットさせる第１処理（ａ２１）と、前記セットされた記録媒体の楽曲データを前記一方のプレーヤにより読み出させ、読み出された楽曲データを前記一時記憶手段（３）に記憶させる第２処理（ａ２３）と、前記記憶された楽曲データに対応する背景映像データが記録された記録媒体を他方のプレーヤにセットさせる第３処理（ａ２５）と、前記一時記憶手段（３）に記憶された前記楽曲データを読み出すと共に、前記セットされた記録媒体の背景映像データを前記他方のプレーヤにより読み出させ、前記再生手段（８）により再生させる第４処理（ａ１８）と、を行う両肺モードを実行し、前記２台のプレーヤの何れかが動作不可であるとき、前記楽曲データが記録された記録媒体を動作可能なプレーヤにセットさせる第５処理（ａ１１）と、前記セットされた記録媒体の楽曲データを前記動作可能なプレーヤにより読み出させ、読み出された楽曲データを前記一時記憶手段（３）に記憶させる第６処理（ａ１２）と、前記記憶された楽曲データに対応する背景映像データが記録された記録媒体を、前記第５処理でセットされた記録媒体に代えて前記動作可能なプレーヤにセットさせる第７処理（ａ１３）と、前記一時記憶手段（３）に記憶された前記楽曲データを読み出すと共に、前記セットされた記録媒体の背景映像データを前記動作可能なプレーヤにより読み出させ、前記再生手段（８）により再生させる第８処理（ａ７）と、を行う片肺モードを実行することを特徴とする。
【０００７】
また、本発明は、前述した特徴に加えて、前記楽曲データが記録された前記記録媒体は、コンパクトディスク（ＣＤ）であり、前記背景映像データが記録された前記記録媒体は、ディジタルビデオディスク（ＤＶＤ）であることを特徴とする。
【０００８】
また、本発明は、前述した特徴に加えて、前記制御手段（４、１０）は、前記プレーヤ（１３、１４）の動作中、プレーヤエラーを検出し、一定時間内に所定回数のエラーが発生したとき（ｂ６、Ｙｅｓ）、前記プレーヤ（１３、１４）が動作不可であると判断することを特徴とする。
【０００９】
また、本発明は、前述した特徴に加えて、前記制御手段（４、１０）は、前記プレーヤ（１３、１４）の動作時間をカウントし、当該動作時間が所定時間に達した時、前記プレーヤ（１３、１４）が動作不可であると判断することを特徴とする。
【００３８】
【発明の実施の形態】
以下、この発明の最も好ましいと思われる実施形態について、図面を参照しながら詳細に説明を行なう。
【００３９】
なお、以下に示す例は、この発明をいわゆる通信カラオケ機に実施した場合を示しているが、この発明は、通信カラオケ機に限らず、楽曲データと背景映像データをそれぞれ別個の記録媒体に記録しておいて任意に選択して組み合わせることができるカラオケ機であれば、他の方式のカラオケ機にも実施することが出来る。
【００４０】
図１において、通信カラオケ機は、コントローラAとチェンジャBの二つの部分から構成されており、コントローラAは、ＣＰＵ１，モデム２，ＲAＭ３，チェンジャ制御部４，操作パネルやリモコン等の操作部５，ＨＤＤ（ハードディスクドライブ）６，採点比較部７およびＭＩＤＩ再生＆背景オーバレイ部８を備えている。また、チェンジャBは、ＣＰＵ１０，ピックアップ部１１，ディスクストッカ１２，第１プレーヤ１３，第２プレーヤ１４，外部Ｉ／Ｆ部（ＳＣＳＩ）１５，デコーダ部１６およびRAM１７を備えている。ここで、ＨＤＤ６にはあらかじめディスクストッカ１２内の各ディスクの保管場所および記録内容についての管理データが記憶される。
【００４１】
これについて詳述すると、まずチェンジャＢを最初に設置したとき、あるいはディスクストッカ１２内のディスクを追加や交換した場合には、所定の操作により、ディスクのインストール動作を実行させる。このインストール動作では、ピックアップ部１１によって、ディスクストッカ１２内のディスクを順次、第１プレーヤ１３および第２プレーヤ１４に交互にセットし、各ディスクの種別や記録内容、アドレス等のデータを再生して、ＨＤＤ６に記録する。また、ＤＶＤディスクがＤＶＤ−VIDEO規格等の場合は、その再生に必要な管理情報もあわせて記録する。その後、ディスクストッカ１２の元の位置に戻す。
【００４２】
このインストール動作により、ディスクストッカ１２内にセットするディスクの位置は任意でよくなるとともに、カラオケ演奏開始時のディスク再生の立ち上げ時間を短縮することができる。
【００４３】
この通信カラオケ機は、コントローラAのモデム２が、電話回線ｔによってカラオケ配信センタＣのホストコンピュータに接続されており、このカラオケ配信センタＣから所望のカラオケ楽曲データをダウンロードする。カラオケ楽曲データは、伴奏音楽を再生するためのＭＩＤＩ（Musical Instrument Digital Inteface）データ、背景映像を選択するための背景映像選択データ、歌詞を表示するための文字データ等を含んでいる。
【００４４】
そして、このモデム２を介してカラオケ配信センタＣからダウンロードしたカラオケ楽曲データは、ＨＤＤ６に記録され、歌唱者により操作部５の操作によって楽曲の選択が行われた際に、選択されたカラオケ楽曲データがＨＤＤ６から読み出されて、一旦ＲＡＭ３に記憶される。ＭＩＤＩデータはＲＡＭ３から読み出され、ＭＩＤＩ再生＆背景オーバレイ部８で伴奏の音声信号に復調され、コントローラAに接続されたマイクロフォンＤから採点比較部７を介して入力されてくる歌唱者の音声信号と混合され、出力部Ｅのスピーカから出力される。なお、伴奏音声の出力は、後述のＤＶＤによる背景映像の出力の開始と同時に開始する。
【００４５】
さらに、このコントローラAは、後述するように、操作部５の操作によって採点モードに設定された場合には、採点比較部７において、ＲＡＭ３に記憶されているＭＩＤＩデータの内の歌唱基準となるメロディーの音程やタイミングを示すデータと、マイクロフォンＤから入力されてくる歌唱者の音声との比較を行って歌唱者の歌唱力を採点し、その採点結果を出力部Ｅに出力してモニタ等に表示する。
上記のようなコントローラAにおける各制御は、ＣＰＵ１によって統括される。
【００４６】
以上のように、このカラオケ機は、必要な楽曲データを電話回線ｔを介して外部のカラオケ配信センタからダウンロードしＨＤＤ６に保存するようになっているが、ＨＤＤ６の記憶容量には限界があるため、所要の量の楽曲データがＨＤＤ６に貯まると、その各データを、ＨＤＤ６に代えてカラオケ配信センタにおいて作製されるＣＤ−ＲＯＭにより保存する。
【００４７】
このＣＤ−ＲＯＭは、チェンジャＢのディスクストッカ１２にストックされ、歌唱者によって選択された楽曲がコントローラAのＨＤＤ６ではなくＣＤ−ＲＯＭに保存されている場合には、このＣＤ−ＲＯＭからデータを読み出して、楽曲を再生する。
【００４８】
すなわち、歌唱者による操作部５の操作によって選択された楽曲がコントローラAのＨＤＤ６ではなくチェンジャBのディスクストッカ１２にストックされたＣＤ−ＲＯＭに保存されている場合には、ＣＰＵ１による制御によってチェンジャ制御部４から外部Ｉ／Ｆ部１５を介してチェンジャBに選択信号が出力され、チェンジャBは、入力された選択信号に基づいてピックアップ部１１により、ディスクストッカ１２内にストックされているＣＤ−ＲＯＭおよびＤＶＤの中から、所要のＣＤ−ＲＯＭをピックアップして第１プレーヤ１３または第２プレーヤ１４にセットし、ＣＤ−ＲＯＭから楽曲データの読み取りを行う。
そして、ＣＤ−ＲＯＭから読み取られた楽曲データは、外部Ｉ／Ｆ部１５を介してコントローラAのチェンジャ制御部４に出力され、コントローラAにおいてまずＲＡＭ３に記憶された後、ＨＤＤ６から読み出されたデータと同様に処理され、出力部Ｅに出力される。
【００４９】
一方、選択された楽曲に対応する背景映像に関しては、まずＣＰＵ１がＲＡＭ３に記憶された楽曲データ中の背景映像選択データとＨＤＤ６中の管理データを参照することにより、所要のＤＶＤに記録された所望の背景映像を再生するための選択信号を生成し、チェンジャ制御部４からＩ／Ｆ部１５を介してチェンジャＢに出力する。チェンジャＢは、入力された選択信号に基づいてピックアップ部１１により、ディスクストッカ１２内にストックされているＣＤ−ＲＯＭおよびＤＶＤの中から所要のＤＶＤをピックアップして第１プレーヤ１３または第２プレーヤ１４にセットし、所要の背景映像データの読み取りを行う。そして、ＤＶＤから読み出された圧縮されている背景映像データは、デコーダ部１６において解凍され、コントローラＡのＭＩＤＩ再生＆背景オーバレイ部８出力される。この背景映像信号に、楽曲データ中の文字データによって生成される歌詞の文字映像がオーバレイされ、出力部Ｅに出力されてモニタに表示される。
なお、このチェンジャBのＲＡＭ１７には制御に必要な各種データや後述のエラーデータが記憶される。
【００５０】
また、上記のようなチェンジャBにおける各制御は、ＣＰＵ１０によって統括される。
チェンジャBにおける構成を、図２および３に基づいてさらに詳しく説明すると、第１プレーヤ１３と第２プレーヤ１４は、何れも、楽曲データが記録されたＣＤ−ＲＯＭと背景映像データが記録されたＤＶＤの二種類の記録媒体から記録データを読み取ることが出来るいわゆるコンパチプレーヤであり、それぞれＣＰＵ１０に接続されてこのＣＰＵ１０からの指令に基づいて記録データ（楽曲データまたは背景映像データ）の読み取りを行う。
【００５１】
この第１プレーヤ１３または第２プレーヤ１４において読み取られた楽曲データは、制御部１９の外部Ｉ／Ｆ部１５を介してコントローラAに送られて復調された後、出力部Ｅ（図１参照）に出力される。
【００５２】
また、第１プレーヤ１３または第２プレーヤ１４において読み取られた背景映像データは、制御部１９のデコーダ部１６に送られ、このデコーダ部１６において圧縮されていたデータの解凍が行われた後、コントローラAに送られて復調された後、出力部Ｅ（図１参照）に出力される。
【００５３】
チェンジャBにおける選択された楽曲のデータが記録されたＣＤ−ＲＯＭと背景映像のデータが記録されたＤＶＤのピックアップは、以下のようにして行われる。
【００５４】
すなわち、図３において、ＣＤ−ＲＯＭとＤＶＤは、ディスクストッカ１２内に格納されて保管されている（このディスクストッカ１２には、ＣＤ−ＲＯＭ，ＤＶＤなどのディスク状の記録媒体を計５０枚格納可能である）。なお、このＣＤ−ＲＯＭとＤＶＤのディスクストッカ１２内における格納位置（アドレス）は、ディスクを格納したときにＲＡＭ１７およびＨＤＤ６に記憶されるので、ランダムでよい。
【００５５】
このディスクストッカ１２と第１プレーヤ１３および第２プレーヤ１４は、一列に並ぶように配置され、このディスクストッカ１２，第１プレーヤ１３，第２プレーヤ１４の列の側方に平行にスライドするように、ピックアップ部１１が配置されている。
【００５６】
このピックアップ部１１は、図示しない駆動機構によってディスクストッカ１２と第１プレーヤ１３および第２プレーヤ１４との間を往復動するようになっている。そして、このピックアップ部１１は、ＣＰＵ１０による制御によって、選択された楽曲および背景映像のそれぞれのデータが記録されたＣＤ−ＲＯＭおよびＤＶＤがそれぞれ格納されているディスクストッカ１２のアドレスの前に停止して、ＣＤ−ＲＯＭまたはＤＶＤを取り出し、この後、取り出したＣＤ−ＲＯＭまたはＤＶＤを保持したままプレーヤの方向にスライドして、第１プレーヤ１３と第２プレーヤ１４のうちＣＰＵ１０から指定されたプレーヤの前で停止して、保持していたＣＤ−ＲＯＭまたはＤＶＤをプレーヤにセットする。
【００５７】
演奏の終了後には、ピックアップ部１１は、上記と反対の動作によって、プレーヤにセットされていたＣＤ−ＲＯＭおよびＤＶＤを取り外し、ディスクストッカ１２の元のアドレスに格納する。なお、次曲にも使用することがあらかじめ分かっている場合は戻さなくてもよい。
【００５８】
ピックアップ部１１は、ディスクの有無を検出するセンサや、ＣＤ−ＲＯＭやＤＶＤをプレーヤにセットする際やディスクストッカ１２に格納する際のＣＤ−ＲＯＭまたはＤＶＤの位置を検出するためのセンサなど、各種センサを備えている。
【００５９】
また、第１プレーヤ１３および第２プレーヤ１４は、それぞれ制御部１９とコネクタを介して電気的に接続されており、ＣＰＵ１０は所定の端子の電圧変化や制御信号に対する応答などを調べることによって各プレーヤの接続の有無を検出するようになっている。
【００６０】
次に、上記カラオケ機における楽曲および背景映像の再生制御について、図４，図５および図６に基づいて説明する。
【００６１】
ここで、以下の説明において使用する両肺モードとは、第１プレーヤ１３と第２プレーヤ１４の二つのプレーヤのうち、一方のプレーヤによってＣＤ−ＲＯＭからの楽曲データの読み取りを行い、他方のプレーヤによってＤＶＤからの背景映像データの読み込みを行うなど、両方のプレーヤを適宜使用する場合をいい、また、片肺モードとは、例えば、二つのプレーヤのうち一方のプレーヤが故障したような場合に、もう一方のプレーヤのみによってＣＤ−ＲＯＭからの楽曲データの読み取りとＤＶＤからの背景映像データの読み取りを行う場合をいう。
【００６２】
また、以下の制御は、コントローラＡのＣＰＵ１とチェンジャBのＣＰＵ１０の連携によって統括される。
【００６３】
図４において、コントローラAの操作部５の操作によって楽曲のリクエストが有ると（図１参照）、ＣＰＵ１は、１つのリクエスト曲の曲番号を取り込み（ステップａ１）、さらに、第１プレーヤ１３および第２プレーヤ１４が動作可能であるか否かを検出する（ステップａ２）。
【００６４】
このステップａ２において、ＣＰＵ１０は、前述したように、電気的に接続された各プレーヤから受ける電圧変化等の信号に基づいて、第１プレーヤ１３と第２プレーヤ１４が動作可能であるかを検出する。
【００６５】
そして、一方のプレーヤが故障や未取付等によって動作不能の場合には、前述した片肺モードによる楽曲と背景映像の再生を行う。
ステップａ２において、片肺モードによって楽曲と背景映像の再生を行うと判断した場合には、次に、リクエストされた曲の楽曲データがＨＤＤ６（図１参照）に保存されているか否かを検出して（ステップａ３）、リクエスト曲の楽曲データがＨＤＤ６に保存されている場合には、前のリクエスト曲の演奏が終了しているか否かを検出して（ステップａ４）、前のリクエスト曲の演奏が終了した後にＨＤＤ６からリクエスト曲の楽曲データの取り込みを行い、ＲＡＭ３に記憶させる。（ステップａ５）。
【００６６】
次に、背景映像再生用のＤＶＤが第１プレーヤ１３と第２プレーヤ１４のうち動作可能なプレーヤにセットされているか否かを検出し（ステップａ６）、ＤＶＤが動作可能なプレーヤにセットされている時には、このＤＶＤから背景映像データを取り込んで、ＲＡＭ３に取り込まれた楽曲データとともに再生（復調）することにより、背景映像が表示されたカラオケ演奏を行う（ステップａ７）。
【００６７】
ステップａ６において、背景映像再生用のＤＶＤが動作可能なプレーヤにセットされていない場合には、前のリクエスト曲の演奏が終了しているか否かを検出する（ステップａ８）なお、この検出はプレーヤが演奏中であるか否かを確認するものであるが、前述のステップａ４で楽曲データが演奏済みであることが分かっているので、ステップａ８は省略してもよい。そして、前のリクエスト曲の演奏の終了後に、前述したように、チェンジャBにおけるピックアップ部１１の作動によって、ディスクストッカ１２内から選択された背景映像のデータが保存されているＤＶＤをピックアップして動作可能な方のプレーヤにセットし（ステップａ９）、背景映像データを取り込んでＲＡＭ３に取り込まれた楽曲データとともに再生（復調）することにより、背景映像が表示されたカラオケ演奏を行う（ステップａ７）。
【００６８】
一方、ステップａ３において、リクエスト曲の楽曲データがＨＤＤ６ではなく、ディスクストッカ１２内に格納されたＣＤ−ＲＯＭに保存されている場合には、前のリクエスト曲の演奏が終了しているか否かを検出した後（ステップａ１０）、前のリクエスト曲の演奏の終了後に、チェンジャBにおけるピックアップ部１１の作動によって、まず前の曲の背景映像を再生していたＤＶＤをディスクストッカ１２の元の位置に戻した後、ディスクストッカ１２内からリクエスト曲の楽曲データが保存されているＣＤ−ＲＯＭをピックアップして動作可能な方のプレーヤにセットし（ステップａ１１）、楽曲データの取り込みを行う（ステップａ１２）。
【００６９】
この取り込まれた楽曲データは、コントローラAのＲＡＭ３に一旦保存される。そして、楽曲データの取り込みが終了したＣＤ−ＲＯＭは、次のＤＶＤからの背景映像データの取り込みのために、ピックアップ部１１によってディスクストッカ１２の元の位置に戻されて格納される。
【００７０】
この後、チェンジャBのピックアップ部１１の作動によって、ディスクストッカ１２内から選択された背景映像のデータが保存されているＤＶＤをピックアップして動作可能な方のプレーヤにセットし（ステップａ１３）、背景映像データを取り込んで、ＲＡＭ３に取り込まれた楽曲データとともに再生（復調）することにより、背景映像が表示されたカラオケ演奏を行う（ステップａ７）。
【００７１】
以上が片肺モードの時の再生制御であるが、ステップａ２において、第１プレーヤ１３および第２プレーヤ１４の両方のプレーヤが動作可能であると判断された場合には、前述した両肺モードによって楽曲と背景映像の再生を行う。
すなわち図５に示すように、制御はステップａ２から両肺モードに移って、リクエストされた楽曲がＨＤＤ６に保存されているか否かを検出し（ステップａ１４）、リクエスト曲がＨＤＤ６に保存されている場合には、前のリクエスト曲の演奏が終了しているか否かを検出した後（ステップａ１５）、前のリクエスト曲の演奏の終了後にＨＤＤ６からＲＡＭ３へリクエスト曲の楽曲データの取り込みを行う（ステップａ１６）。
【００７２】
次に、背景映像再生用のＤＶＤが第１プレーヤ１３と第２プレーヤ１４のうちどちらかにセットされているか否かを検出し（ステップａ１７）、ＤＶＤが何れか一方のプレーヤにセットされている時には、このＤＶＤから背景映像データを取り込んで、ＲＡＭ３に取り込まれた楽曲データとともに再生（復調）することにより、背景映像が表示されたカラオケ演奏を行う（ステップａ１８）。
【００７３】
ステップａ１７において、背景映像再生用のＤＶＤがどちらのプレーヤにもセットされていない場合には、チェンジャBにおけるピックアップ部１１の作動によって、ディスクストッカ１２内から選択された背景映像のデータが保存されているＤＶＤをピックアップして何れか一方のプレーヤ（この例では第１プレーヤ１３）にセットし（ステップａ１９）、背景映像データを取り込んで、ＲＡＭ３に取り込まれた楽曲データとともに再生（復調）することにより、背景映像が表示されたカラオケ演奏を行う（ステップ１８）。
【００７４】
一方、ステップａ１４において、リクエスト曲の楽曲データがＨＤＤ６ではなく、ディスクストッカ１２内に格納されたＣＤ−ＲＯＭに保存されている場合には、前曲の背景映像用ＤＶＤが再生中でないいずれかのプレーヤにリクエスト曲の楽曲データが保存されたＣＤ−ＲＯＭがセットされているか否かを検出し（ステップａ２０）、ＣＤ−ＲＯＭが何れのプレーヤにもセットされていない場合には、ピックアップ部１１を作動させてディスクストッカ１２からピックアップしたＣＤ−ＲＯＭを所用のＤＶＤがセットされていないいずれかのプレーヤ（この例の場合には第２プレーヤ１４）にセットした後（ステップａ２１）、前のリクエスト曲の演奏が終了しているか否かを検出して（ステップａ２２）、前のリクエスト曲の演奏の終了後にそのプレーヤにセットされたＣＤ−ＲＯＭからＲＡＭ３へリクエスト曲の楽曲データの取り込みを行う（ステップａ２３）。
【００７５】
次に、背景映像再生用のＤＶＤが他方のプレーヤにセットされているか否かを検出し（ステップａ２４）、ＤＶＤがそのプレーヤにセットされていない場合には、ピックアップ部１１を作動させてディスクストッカ１２からピックアップしたＤＶＤをそのプレーヤ（この例の場合には第１プレーヤ１３）にセットした後（ステップａ２５）、このＤＶＤから背景映像データを取り込んで、ＲＡＭ３に取り込まれた楽曲データとともに再生（復調）することにより、背景映像が表示されたカラオケ演奏を行う（ステップａ１８）。
【００７６】
図６は、図４，図５のフローチャートのステップａ２における楽曲および背景映像の再生を両肺モードによって行うか片肺モードによって行うかの判断を、プレーヤの接続状態およびプレーヤエラーの発生回数に基づく故障の有無の検出によって行う場合の手順を示している。ここで、エラー情報としては種々のものが利用可能であり、例えばＤＶＤから再生されたデータに対するエラー訂正や、エラーレートの異常、また、プレーヤからの再生信号出力の低下等がエラー情報としてデコーダ部１６で得られる。また、第１プレーヤ１３および第２プレーヤ１４における駆動部やサーボ系の各部電圧、電流、タイミング等の異常もエラー情報として利用できる。
【００７７】
次に、この図６のフローチャートについて説明する。
なお、この第１プレーヤ１３と第２プレーヤ１４の動作状態の検出は、チェンジャBの電源がオンしている間常時行われ、検出された各プレーヤの動作時間およびエラー内容は、コントローラAのＣＰＵ１に送られる。
【００７８】
図６において、第１プレーヤ１３の動作状態の検出は、ステップｂ１ないしｂ７によって行われ、第２プレーヤ１４の動作状態の検出は、ステップｂ８ないしｂ１４によって行われる。
【００７９】
最初に、第１プレーヤ１３の動作状態の検出について説明すると、まず第１プレーヤ１３が接続されているか否かを検出し（ステップｂ１）、第１プレーヤ１３が接続されている場合には、つぎに動作中であるか否かの検出を行う（ステップｂ２）。
【００８０】
第１プレーヤ１３が動作中の時には、第１プレーヤ１３の動作時間をカウントした後（ステップｂ３）、動作中にプレーヤエラーが発生しているか否かを検出する（ステップｂ４）。そして、プレーヤの動作時間およびエラー内容のバックアップをとる（ステップｂ５）。
【００８１】
次に、一定時間内にあらかじめ設定されている所定の回数のエラーが発生しているか否かの判断を行って（ステップｂ６）、エラーの発生回数が所定の回数よりも少ない時には後述する総合判断のステップに移行し、エラーの発生回数が所定の回数に達している時には、第１プレーヤ１３の切り離しを行った後（ステップｂ７）、総合判断のステップに移行する。
なお、ステップｂ７における第１プレーヤ１３の切り離しは、ステップｂ１において第１プレーヤ１３が接続されていないと判断されたときにも行われる。
【００８２】
一方、第２プレーヤ１４についての動作状態の検出も、上述した第１プレーヤ１３について行われるのと同一の手順によって行われる。
すなわち、第２プレーヤ１４が接続されているか否かの検出（ステップｂ８）、第２プレーヤ１４が接続されている場合に第２プレーヤ１４が動作中であるか否かの検出（ステップｂ９）、第２プレーヤ１４が動作中の時の第２プレーヤ１４の動作時間のカウント（ステップｂ１０）、動作中のプレーヤエラーの発生の検出（ステップｂ１１）、プレーヤの動作時間およびエラー内容のバックアップ（ステップｂ１２）、一定時間内にあらかじめ設定されている所定の回数のエラーが発生しているか否かの判断（ステップｂ１３）、エラーの発生回数が所定の回数に達している時およびステップｂ８において第２プレーヤ１４が接続されていないと判断されたときの第２プレーヤ１４の切り離し（ステップｂ１４）を行って、次の総合判断のステップに移行する。プレーヤの動作状態の総合判断においては、上記各プレーヤについての動作状態のチェックに基づいて、第１プレーヤ１３と第２プレーヤ１４が何れも動作可能か否かを判断し（ステップｂ１５）、プレーヤが双方とも動作可能であると判断した場合には（ステップｂ１６）、両肺モードでの制御を決定する（ステップｂ１７）。また、第１プレーヤ１３と第２プレーヤ１４の一方が動作可能で他方が動作不可と判断した場合には（ステップｂ１８）、片肺モードでの制御を決定する（ステップｂ１９）。
【００８３】
また、ステップｂ１５において第１プレーヤ１３と第２プレーヤ１４の双方とも動作不可であると判断した場合には（ステップｂ２０）、システムダウンの決定を行う（ステップｂ２１）が双方が接続されている場合には、例えば動作時間が短い方のプレーヤによる片肺モードの決定をしてもよい。
【００８４】
なお、上記の制御において、プレーヤエラーの頻度が設定された所定値よりも低い場合であっても、動作時間の累計があらかじめ設定された所定の時間（例えば１０００時間）に達した場合には、そのプレーヤをカラオケ機から切り離して交換するようにすることも出来る。
【００８５】
また、上記においては、この発明の実施態様を、カラオケ再生装置がコンパチプレーヤを２台装備している場合の例に基づいて説明したが、装備するコンパチプレーヤが３台以上であってもよい。
【００８６】
なお、上記実施例においては、楽曲データの記録媒体としてＣＤ−ＲＯＭを用いたが、これに限定されずＤＶＤ−ＲＯＭ等でもよい。同様に背景映像データの記録媒体もＤＶＤに限定されることはない。
【００８７】
なお、上記実施例において、チェンジャＢ自体の信頼性を高めるため、次のような手法を併用した。つまり、チェンジャＢを覆う筐体は、煙害や虫害を防ぐため、密閉型としてあるので、装置内外の空気が流通せず、放熱効果に支障があり、少なからず装置の劣化につながる虞がある。しかしながら、装置内の空気の温度を均一にすれば、筐体全体から放熱可能となるので、放熱効果を改善することができる。本実施例では、ピックアップ部１１がスライドするときに装置内部の空気が攪拌されることを利用し、これがカラオケの演奏がないときなど、一定時間動作しなかったら強制的にカラ運動するように制御し、装置内の空気を強制的に循環させるようにした。即ち、装置内の発熱は均一でないので、内部の空気が循環しない場合は、筐体の発熱部に近い部分のみが加熱されて放熱に寄与するだけであるが、内部の空気を循環させることで、筐体の広い範囲が加熱され、放熱効果がよくなるのである。実験では２〜３度Ｃの放熱効果の改善がみられた。
なお、上記実施例ではカラオケについて述べたが、ゲームや各種の情報提供等、リクエストに応じて音声と映像を提供するものに応用できる。
【００８８】
【発明の効果】
以上述べたように、本発明によれば、信頼性が高く、メンテナンスが容易なカラオケ再生装置を提供できる。
【図面の簡単な説明】
【図１】本発明の実施態様におけるカラオケ再生装置の一例を示す概略構成図である。
【図２】同例におけるプレーヤの接続状態を示す概略構成図である。
【図３】同例においてチェンジャ内の構成を示す斜視図である。
【図４】同例における情報の読み出し制御を示すフローチャートである。
【図５】同例における情報の読み出し制御を示すフローチャートである。
【図６】同例においてプレーヤの動作不可の判定の手順を示すフローチャートである。
【図７】従来例を示す概略構成図である。
【符号の説明】
１  …ＣＰＵ（制御手段，判定手段，エラーカウント手段，動作時間カウント手段）
４  …チェンジャ制御部（制御手段）
５  …操作部
６  …ＨＤＤ
８  …ＭＩＤＩ再生＆背景オーバレイ部
１０…ＣＰＵ（制御手段）
１１…ピックアップ（搬送）部（ピックアップ手段）
１２…ディスクストッカ（保持手段）
１３…第１プレーヤ（情報読み取り手段）
１４…第２プレーヤ（情報読み取り手段）
A  …コントローラ
Ｂ  …チェンジャ
【図１】
0003667092.tif 000002
【図２】
0003667092.tif 000003
【図３】
0003667092.tif 000004
【図４】
0003667092.tif 000005
【図５】
0003667092.tif 000006
【図６】
0003667092.tif 000007
【図７】
0003667092.tif 000008